(57)【要約】【課題】オゾンによる殺菌効果を向上させた殺菌装置を提供する。【解決手段】複数のセラミック固形物１１が収納され、これらのセラミック固形物１１から発生するマイナスイオンを原水に含有させる第１のセラミック槽１５と、第１のセラミック槽１５の下方に連結され、この第１のセラミック槽１５に導入される原水を汲み上げるポンプ１３と、オゾン発生器２１と、第１のセラミック槽１５から排出されたマイナスイオンを含有する原水にオゾン発生器２１からのオゾンを注入するオゾン注入部１８と、オゾン注入部１８によってオゾンが注入されたオゾン水を攪拌する第１のオゾン攪拌槽１７と、第１のオゾン攪拌槽１７に連結されオゾンによる殺菌を行うオゾン殺菌槽２５とを備える。【選択図】図１
2007222845.tif 000002
【特許請求の範囲】
【請求項１】
複数のセラミック固形物が収納され、これらのセラミック固形物から発生するマイナスイオンを原水に含有させる第１のセラミック槽と、オゾン発生器と、前記第１のセラミック槽から排出されたマイナスイオンを含有する原水に前記オゾン発生器からのオゾンを注入するオゾン注入部と、前記オゾン注入部によってオゾンが注入されたオゾン水を攪拌する第１のオゾン攪拌槽と、前記第１のオゾン攪拌槽に連結され、オゾンによる殺菌を行うオゾン殺菌槽とを備えることを特徴とする殺菌装置。
【請求項２】
前記オゾン殺菌槽から排出されたオゾン水が導入され、このオゾン水をさらに攪拌しながら殺菌を行う第２のオゾン攪拌槽を備えることを特徴とする請求項１に記載の殺菌装置。
【請求項３】
前記第２のオゾン攪拌槽から排出されたオゾン水が導入され、複数のセラミック固形物が収納され、これらのセラミック固形物から発生するマイナスイオンをオゾン水に含有させる第２のセラミック槽を備えることを特徴とする請求項１、２に記載の殺菌装置。
【請求項４】
前記セラミック固形物は、ゼオライト粉末を焼結してなることを特徴とする請求項１、２、３に記載の殺菌装置。
【発明の詳細な説明】
【技術分野】
【０００１】
本発明は、オゾン発生器を用いた原水の殺菌装置に関する。
【背景技術】
【０００２】
従来より、プールの水や温泉水の中に生息する雑菌を死滅させるために塩素消毒が行われている。しかしながら、塩素消毒では大腸菌を死滅させることはできるが、レジオネラ菌を死滅させることは困難であり、しかも殺菌効果を高めるために、塩素濃度を高めるとカルキ臭が強くなるという問題があった。そこで、レジオネラ菌を含めて多くの雑菌に対して強い殺菌能力を有するオゾンを原水中に注入するというオゾン殺菌装置が提案されている。
【特許文献１】特開２００２−１１９９８１号公報
【特許文献２】特開２００２−１４３８７１号公報
【発明の開示】
【発明が解決しようとする課題】
【０００３】
オゾンは原水中で酸素分子（Ｏ２）と酸素イオン（Ｏ−）に分解し、この酸素イオン（Ｏ−）が殺菌能力を発揮すると考えられている。しかしながら、原水中にオゾンを注入するだけのオゾン殺菌装置では、原水中でのオゾンの分解が不十分であるため、その殺菌効果も不十分であるという問題を有していた。
【課題を解決するための手段】
【０００４】
本発明の殺菌装置は上述した課題に鑑みてなされたものであり、複数のセラミック固形物が収納され、これらのセラミック固形物から発生するマイナスイオンを原水に含有させる第１のセラミック槽と、オゾン発生器と、前記第１のセラミック槽から排出されたマイナスイオンを含有する原水に前記オゾン発生器からのオゾンを注入するオゾン注入部と、前記オゾン注入部によってオゾンが注入されたオゾン水を攪拌する第１のオゾン攪拌槽と、前記第１のオゾン攪拌槽に連結され、オゾンによる殺菌を行うオゾン殺菌槽とを備えることを特徴とするものである。
【発明の効果】
【０００５】
本発明の殺菌装置によれば、セラミック固形物から発生するマイナスイオンが含有された原水にオゾンを注入し、さらに攪拌しているので、マイナスイオンによって、原水中に注入されたオゾンの分解が促進されるため、オゾンによる殺菌効果を向上させることが可能になる。
【発明を実施するための最良の形態】
【０００６】
本発明の実施の形態による殺菌装置について図１を参照して説明する。プールの水や温泉水からの原水は、まず、水平に設置された第０のセラミック槽１０の中に配管を通して導入される。第０のセラミック槽１０の中には複数のセラミック固形物１１が層状に収納されている。セラミック固形物１１は、直径５ｍｍ〜１５ｍｍの球状物であり、ゼオライト粉末を１１５０℃〜１２５０℃の炉内で焼結したものであり、マイナスイオン発生効果、マイナスイオンによる脱臭効果等を示す。原水はセラミック固形物１１の層を通されることで、マイナスイオンを含有することになる。第０のセラミック槽１０から排出された原水は配管１２を通して汲み上げ用のポンプ１３に入り、ポンプ１３によって流速が高められ、配管１４を通して第１のセラミック槽１５の下部に導入される。
【０００７】
第１のセラミック槽１５の下部には第０のセラミック槽１０と同様に、複数のセラミック固形物１１が層状に収納されている。原水はこのセラミック固形物１１の層を通ることで、さらにマイナスイオンを多量に含有することになる。マイナスイオンを含有した原水はポンプ１３を動力源として重力に逆らって第１のセラミック槽１５の下部から上昇し、その上部に取り付けられた配管１６を通して、隣に設置された第１のオゾン攪拌槽１７の上部に導入される。第１のオゾン攪拌槽１７の上部にはオゾン注入部１８が取り付けられている。オゾン注入部１８の羽根板１９によって第１のオゾン攪拌槽１７の入り口の原水通路２０が狭められことにより、原水通路２０での原水の流速が高まる。一方、オゾン発生器２１からのオゾンは、排出管２２を通してオゾン注入部１８に連結され、原水通路２０に対して直角方向から原水の中に吸い込まれるようにして注入される。
【０００８】
こうして、原水はマイナスイオンを含有するとともに、オゾンが注入されてオゾン水になる。このオゾン水は、重力とポンプ力を受けて第１のオゾン攪拌槽１７の上部から下降し、第１のオゾン攪拌槽１７の内壁から斜め下方に突設された複数の攪拌板２３に当たり、蛇行を繰り返しながら攪拌される。攪拌板２３は一枚の螺旋状の板であってもよい。この攪拌過程で、マイナスイオンとオゾンとが互いに衝突することによって、オゾンの分解（酸素分子（Ｏ２）と酸素イオン（Ｏ−）への分解）が促進される。そして、オゾンの分解によって発生した酸素イオン（Ｏ−）が殺菌能力を発揮することになる。
【０００９】
こうしてマイナスイオンによって強いオゾン殺菌能力を獲得したオゾン水は配管２４を通して、オゾン殺菌槽２５の下部に導入され、オゾン殺菌槽２５の中を上昇する。そしてオゾン殺菌槽２５の中で、レジオネラ菌や大腸菌等の雑菌の殆どが死滅する。オゾン殺菌槽２５のオゾン水はその上部に取り付けられた配管２６を通して、第２のオゾン攪拌槽２７に導入される。
【００１０】
第２のオゾン攪拌槽２７に導入されたオゾン水は、重力とポンプ力を受けて第２のオゾン攪拌槽２７の上部から下降し、第２のオゾン攪拌槽２７の内壁から斜め下方に突設された複数の攪拌板２８に当たり、蛇行を繰り返しながら攪拌される。攪拌板２８は一枚の螺旋状の板であってもよい。この攪拌過程で、残留したマイナスイオンによってオゾンの分解が再び促進され、これにより残留した雑菌が死滅する。
【００１１】
こうしてオゾン殺菌能力が維持されたオゾン水は配管２９を通して、第２のセラミック槽３０の下部に導入される。第２のセラミック槽３０の下部には同様に、複数のセラミック固形物１１が層状に収納されている。第２のオゾン攪拌槽２７から排出されたオゾン水は、オゾン分解によりマイナスイオンの多くを消費しているが、このセラミック固形物１１の層を通ることで、マイナスイオンを再び多量に含有することになり、脱臭効果が発揮される。そして、マイナスイオンを多量に含有したオゾン水は、第２のセラミック槽３０の中を上昇して処理水として排出される。
【図面の簡単な説明】
【００１２】
【図１】本発明の実施の形態による殺菌装置を示す図である。
【符号の説明】
【００１３】
１０  第０のセラミック槽      １１  セラミック固形物
１２，１４、１６，２４，２６，２９  配管                
１３  ポンプ                  １５  第１のセラミック槽
１７  第１のオゾン攪拌槽      １８  オゾン注入部
１９  羽根板                  ２０  原水通路
２１  オゾン発生器            ２２  排出管
２３，２８  攪拌板            ２５  オゾン殺菌槽
２７  第２のオゾン攪拌槽      ３０  第２のセラミック槽
【図１】
2007222845.tif 000003